(57)【要約】【課題】本発明は、横延伸装置が内設されるオーブンを形成する各断熱パネルの断熱性を向上させると共に、強度も確保することである。【解決手段】本発明による横延伸装置用断熱パネルは、外気側(4A)の外側シェル(4)と高温側(5A)の内側シェル(5)からなる横延伸装置用断熱パネルにおいて、  前記各シェル(4,5)間に中枠(20)を設けることにより、前記各シェル(4,5)間に枠状隙間(21)を有することによって各シェル(4,5)が直接接触することを避け、かつ、中枠(20)の他端(28)と前記内側シェル(5)の第２内壁(25)との間に第２空間(34)を形成した構成である。【選択図】図２
2018039116.tif 000002
【特許請求の範囲】
【請求項１】
少なくとも外気側(4A)の外側シェル(4)と高温側(5A)の内側シェル(5)からなる横延伸装置用断熱パネルにおいて、
前記外側シェル(4)の第１内壁(23)に一端(22)が第１固定手段(30)を介して固定された中枠(20)と、前記中枠(20)又は前記内側シェル(5)に形成され、第２固定手段(33)によって前記内側シェル(5)の第２内壁(25)に固定される突起(27)と、
前記外側シェル(4)と前記内側シェル(5)との間に形成され、前記外側シェル(4)と前記内側シェル(5)の直接接触を避けるための枠状隙間(21)と、
前記中枠(20)の外面(31)に位置し、前記枠状隙間(21)を閉状態とするための枠状シール(32)と、
前記各シェル(4,5)間の第１空間(40)に設けられた断熱材(10)と、を備え、
前記中枠(20)の他端(28)は前記内側シェル(5)の前記第２内壁(25)に対し第２空間(34)を介して非接触状態に構成され、前記中枠(20)は前記突起(27)のみを介して、前記内側シェル(5)の第２内壁(25)に固定されている構成としたことを特徴とする横延伸装置用断熱パネル。
【請求項２】
前記枠状シール(32)が位置する前記外面(31)は凹状に形成されていることを特徴とする請求項１記載の横延伸装置用断熱パネル。
【発明の詳細な説明】
【技術分野】
【０００１】
本発明は、横延伸装置用断熱パネルに関し、特に、内側シェルと外側シェルを枠状隙間がある状態に中枠を介して構成することにより、高温側である内側シェルから外気側である外側シェルへの熱伝達を防止するための新規な改良に関する。
【背景技術】
【０００２】
従来、用いられていたこの種の横延伸装置用断熱パネル構造としては、例えば、特許文献１に開示されている構成を挙げることができる。
図３の符号１で示されるものは、前述の特許文献１の図９に開示され、従来から一般に用いられている横延伸装置が内蔵されたオーブンである。
前記オーブン１の入側１ａから供給された図示しない樹脂シートは、オーブン１内の横延伸装置によって、シート流れＢの方向と直交する方向に延伸され、出側１ｂから延伸フィルムとして外側へ引出されて、図外の巻き取り装置によってロールに巻き取られる。
【０００３】
前記オーブン１は、多数の独立して設けられた断熱パネル２を用いてドーム状に構成されていると共に、前記オーブン１の側部には複数のドアパネル３が設けられている。
前記断熱パネル２及びドアパネル３は、図４及び図５で示されるように構成されている。
【０００４】
図４及び図５において、符号２で示されるものは、全体形状が厚さＴを有すると共に、長方形の密閉箱形をなす前記断熱パネルであり、この断熱パネル２は、低温（外気）側の外側部材４と高温側の内側部材５とが側部材６を介して長方形の箱形に構成されている。
【０００５】
前記外側部材４と内側部材５との間に補強材６Ａが設けられ、この補強材６Ａは、前記各部材４,５に固定された曲げ板７と、前記補強材６Ａを長手方向と直交する方向に貫通し前記各曲げ板７に接続されたネジ８とによって固定されている。
従って、前記側部材６が前記各部材４,５と一体接続され、かつ、複数の前記補強材６Ａが前記各部材４,５と一体接続されていることにより、図４に示されるように、所定の長さＬと幅Ｗ及び厚さＴを有する断熱パネル２が形成されている。
尚、図５に示されるように、前記各部材４,５間にグラスウール等の断熱材１０が設けられている。
【先行技術文献】
【特許文献】
【０００６】
【特許文献１】特開２０１１−２４０５８１号公報
【発明の概要】
【発明が解決しようとする課題】
【０００７】
従来の横延伸装置用断熱パネルは、以上のように構成されていたため、次のような課題が存在していた。
すなわち、前述の構成の断熱パネル２を多数用いることにより、横延伸装置を内設するための図示しない空洞状のオーブンが構成され、特に、オーブンの壁や天井からの放熱を抑えるためには断熱材の厚さを厚くすることが有効であるが、その他に断熱パネルの内板と外板を熱的に遮断することが重要である。一方で横延伸装置に用いる断熱パネルについて、壁パネルは人がオーブン内に出入りするためのドアを有すること、天井パネルは人が上に乗って歩行することが可能であることが求められる。これらを実現させるためには、ある程度の強度が必要であり、強度を確保するために補強材６Ａを付加するとこれが熱橋となって断熱性能が悪化していた。
なお、補強材６Ａに、ケイ酸カルシウム等の熱伝導率の小さい材料を使用することで、断熱性能を確保することは可能ではあるが、コストアップの要因となる。また、前述の補強材６Ａを外側部材４及び内側部材５に接続させる作業が必要であり、持続個所が多いが故にコストダウン及び生産性向上が困難であった。
【０００８】
本発明は、以上のような課題を解決するためになされたもので、特に、内側シェルと外側シェルを枠状隙間がある状態に中枠を介して構成することにより、高温側である内側シェルからの熱伝達を防止するようにした横延伸装置用断熱パネルを提供することを目的とする。
【課題を解決するための手段】
【０００９】
本発明による横延伸装置用断熱パネルは、少なくとも高温側の内側シェルと外気側の外側シェルからなる横延伸装置用断熱パネルにおいて、前記外側シェルの第１内壁に一端が第１固定手段を介して固定された中枠と、前記中枠又は前記内側シェルに形成され、第２固定手段によって前記内側シェルの第２内壁に固定される突起と、前記外側シェルと前記内側シェルとの間に形成され、前記外側シェルと前記内側シェルの直接接触を避けるための枠状隙間と、前記中枠の外面に位置し、前記枠状隙間を閉状態とするための枠状シールと、前記各シェル間の第１空間に設けられた断熱材と、を備え、前記中枠の他端は前記内側シェルの前記第２内壁に対し第２空間を介して非接触状態に構成され、前記中枠は前記突起のみを介して、前記内側シェルの第２内壁に固定されている構成であり、また、前記枠状シールが位置する前記外面は凹状に形成されている構成である。
【発明の効果】
【００１０】
本発明による横延伸装置用断熱パネルは、以上のように構成されているため、次のような効果を得ることができる。
すなわち、少なくとも高温側の内側シェルと外気側の外側シェルからなる横延伸装置用断熱パネルにおいて、前記外側シェルの第１内壁に一端が第１固定手段を介して固定された中枠と、前記中枠又は前記内側シェルに形成され、第２固定手段によって前記内側シェルの第２内壁に固定される突起と、前記内側シェルと前記外側シェルとの間に形成され、前記内側シェルと前記外側シェルの直接接触を避けるための枠状隙間と、前記中枠の外面に位置し、前記枠状隙間を閉状態とするための枠状シールと、前記各シェル間の第１空間に設けられた断熱材と、を備え、前記中枠の他端は前記内側シェルの前記第２内壁に対し第２空間を介して非接触状態に構成され、前記中枠は前記突起のみを介して、前記内側シェルの第２内壁に固定されている構成としたことにより、高温側の内側シェルから外側シェルへの熱伝達は、枠状隙間及び中枠の他端と内側シェルとの間の第２空間により内側シェルから外側シェルへの熱伝達が効果的に防止され、オーブン内から外部への放熱を防止することができる。また外気側の外側シェルは中枠の一端と面で接するので本発明による横延伸装置用断熱パネルを用いた天井パネルの上を人が歩行する場合、その重量を中枠によって支える事ができる。
さらに、前記枠状シールが位置する前記外面は凹状に形成されていることにより、中枠を内側シェルと外側シェルに固定することが極めて容易で、かつ、ロボット化も容易となる。また、枠状隙間をシールするための枠状シールの位置決め及び取付けが容易となる。
【図面の簡単な説明】
【００１１】
【図１】本発明による横延伸装置用断熱パネルの要部の分解斜視図である。
【図２】図１の断熱パネルの組立後の要部の拡大断面図である。
【図３】本願及び従来において用いられていたオーブンの全体構成を示す斜視図である。
【図４】図３のオーブンに設けられていた断熱パネルの透視斜視図である。
【図５】図４のＡ−Ａ拡大断面図である。
【発明を実施するための形態】
【００１２】
本発明による横延伸装置用断熱パネルは、主として、内側シェルと外側シェルを枠状隙間がある状態に中枠を介して構成することにより、高温側である内側シェルから外側シェルへの熱伝達を防止し、オーブン内の高熱が外部に放熱されにくくすることである。
【実施例】
【００１３】
以下、図面と共に本発明による横延伸装置用断熱パネルの好適な実施の形態について説明する。
尚、従来例と同一又は同等部分には、同一符号を付して説明する。
また、図４の断熱パネル２の全体構成は、外側部材４と内側部材５間の支持構造が異なるのみで、所定の厚さＴを有するパネルとしては、本願の断熱パネルと類似であるので、図４及び図５の主たる構成は本願の構成に援用する。
【００１４】
図１は、本発明における断熱パネル２の外側シェル４、中枠２０及び内側シェル５の分解斜視図であり、前記各シェル４,５及び中枠２０は枠状に形成されていると共に、一枚の断熱パネル２のように積み重ねると、前記中枠２０は前記各シェル４,５よりも平面でみて小であるため、前記各シェル４,５の間に鉄製の前記中枠２０が収納されるように構成されている。尚、前記各シェル４,５は、所定の深さＤを有すると共に、各シェル４,５の深さＤ、Ｄによって断熱パネル２の厚さＴ（図２）を構成している。
【００１５】
図２は、前述のように、図１の各シェル４,５及び中枠２０を積層、すなわち、長方形の有底箱型をなす前記各シェル４,５間に枠状の中枠２０を設けることによって、前記各シェル４,５間に枠状隙間２１が形成され、各シェル４,５間が直接接触することを避けることができるように構成されている。
【００１６】
前記中枠２０は、図２で示されるように、その一端２２がＬ字形をなし、この一端２２に一体に延設され前記外側シェル４の第１内壁２３側へ突出する突出部２４と、前記突出部２４に一体に延設され、前記第１内壁２３及び前記内側シェル５の第２内壁２５に対して内側に曲折する凹部２６と、前記凹部２６に一体に延設され前記突出部２４と同じ方向、すなわち、前記第２内壁２５側へ突出する突起２７と、前記突起２７に一体に延設され、前記一端２２と同一方向へ曲折するＬ字形の他端２８と、から構成されている。
【００１７】
前記一端２２は、前記外側シェル４の第１内壁２３に接すると共に、ネジ等からなる第１固定手段３０が前記外側シェル４及び前記一端２２を貫通することによって、前記一端２２が前記外側シェル４に固定されている。
前記凹部２６の外面３１と前記各内面２３,２５の間には、全体形状が枠状でかつ断面丸又は楕円形をなすと共に断熱性の弾性体よりなる枠状シール３２が配設されている。
前記枠状シール３２は、前記中枠２０の凹部２６の付勢によって変形した状態で、前記枠状隙間２１を塞ぐことにより、前記枠状隙間２１は閉状態に維持できるように構成されている。
前記突起２７は、前記突起２７と前記内側シェル５を貫通するように設けられた第２固定手段３３であるリベットによって、前記内側シェル５に固定されている。
尚、前記突起２７は、前記中枠２０に設けた場合について述べたが、前記中枠２０ではなく前記内側シェル５に形成した場合も、同じ効果が得られる。
【００１８】
前記他端２８は、前記一端２２と同様にＬ字形に曲折しているため、前記他端２８と前記内側シェル５の第２内壁２５との間には、第２空間３４が形成されているため、前記他端２８と前記第２内壁２５との間は、互いに非接触に構成されている。
従って、前記中枠２０が前記外側シェル４及び内側シェル５に接触しているのは、前記一端２２及び突起２７のみであり、図３のオーブン１内の高温側５Ａ（図２）に位置する内側シェル５からの熱伝達は、前記突起２７を介して外気側４Ａの前記外側シェル４に伝達されるのみであるため、断熱パネル２の外部への放熱としては、前述の図４及び図５の構成に比較すると、大幅に低減でき、前記オーブン１内の室温の維持に要するコストを従来よりも大幅に低下させることができる。
また、前述の構成においては、天井パネルのことを前提として述べたが、壁面（扉）への適用については、蝶番やドアノブ等を付加すればよく、前述と同じパネルを使用することができ、さらに、前記各シェル４,５と中枠２０によって形成された第１空間４０内には、グラスウール等からなる断熱材４１が充填されている。
【００１９】
また、本発明による横延伸装置用断熱パネルの組立方法は、次の通りである。
まず、前記中枠２０と内側シェル５を互いに浮かせた状態で第２固定手段３３により組立てる。なおこの時点で、前記第１空間４０は開空間であるので、第２固定手段３３としては、固定部の両面からの操作が必要な古典的なリベット止めや、溶接も選択可能であるが、これに限定するものではない。
前記第１空間４０内にグラスウール等の断熱材１０を充填すると共に、前記凹部２６の外面３１に枠状シール３２を位置決めさせた後、前記外側シェル４を上からかぶせ、前記第１固定手段３０によって前記外側シェル４と中枠２０の一端２２を締結することによって、断熱パネル２が組立てられる。この段階では、前記第１空間４０は閉空間となっているので、前記第１固定手段３０としてはタップネジや、ブラインドリベット等、断熱パネル２の外面のみからの操作で締結可能な手段に限られる。
尚、前記外側シェル４と中枠２０は、前記中枠２０のパネル面への投影面積分接触することになる。
【００２０】
次に、本発明による横延伸装置用断熱パネルの要旨とするところは、次の通りである。
すなわち、少なくとも外気側４Ａの外側シェル４と高温側５Ａの内側シェル５とからなる横延伸装置用断熱パネルにおいて、前記外側シェル４の第１内壁２３に一端２２が第１固定手段３０を介して固定された中枠２０と、前記中枠２０又は前記内側シェル５に形成され、第２固定手段３３によって前記内側シェル５の第２内壁２５に固定される突起２７と、前記外側シェル４と前記内側シェル５との間に形成され、前記外側シェル４と前記内側シェル５)の直接接触を避けるための枠状隙間２１と、前記中枠２０の外面３１に位置し、前記枠状隙間２１を閉状態とするための枠状シール３２と、前記各シェル４，５間の第１空間４０に設けられた断熱材１０と、を備え、前記中枠２０の他端２８は前記内側シェル５の前記第２内壁２５に対して第２空間３４を介して非接触状態に構成され、前記中枠２０は前記突起２７のみを介して、前記内側シェル５の第２内壁２５に固定されている構成であり、また、前記枠状シール３２が位置する前記外面３１は凹状に形成されている構成である。
【産業上の利用可能性】
【００２１】
本発明による横延伸装置用断熱パネルは、内側パネルと外側パネルとの間に中枠を設け、高温側の内側シェルから外気側の外側シェルに対する熱伝達を防止し、安価で頑丈な断熱パネルを得ることができる。
【符号の説明】
【００２２】
１    オーブン
１ａ    入側
１ｂ    出側
２    断熱パネル
３    ドアパネル
４    外側シェル
４Ａ    外気側
５    内側シェル
５Ａ    高温側
６    側部材
６Ａ    補強材
１０    断熱材
２０    中枠
２１    枠状隙間
２２    一端
２３    第１内壁
２４    突出部
２５    第２内壁
２６    凹部
２７    突起
２８    他端
３０    第１固定手段
３１    外面
３２    枠状シール
３３    第２固定手段
３４    第２空間
４０    第１空間
Ｄ    深さ
Ｔ    厚さ
【図１】
2018039116.tif 000003
【図２】
2018039116.tif 000004
【図３】
2018039116.tif 000005
【図４】
2018039116.tif 000006
【図５】
2018039116.tif 000007